(57)【要約】本発明は、端末の運動状態の評価を制御する方法及び端末を提出することであって、上記方法において、端末は運動状態の評価を実行する過程において、異なる評価パラメータを受信したときに、端末は現在に設置された運動状態及び後の運動状態の評価方法を明確に規定して、有効的に端末の実行に曖昧にさせる問題を回避することができる。当該端末において、比較モジュールと、評価制御モジュールと、タイマ、カウンター、評価ユニット及び運動状態設置ユニットを有する評価実行モジュールを含める。
2011530905.tif 000002
【特許請求の範囲】
【請求項１】
端末は運動状態を評価する過程において、現在の採用された評価パラメータと異なる新たな評価パラメータを受信すると、運動状態を正常の運動状態に設置し、上記現在に採用された評価パラメータを上記新たな評価パラメータに更新し、更新された評価パラメータを採用して続けて今回の運動状態の評価を完成することを特徴とする端末の運動状態の評価を制御する方法。
【請求項２】
上記評価パラメータはタイミング時間と閾値を含め、
更新された評価パラメータを採用して続けて今回の運動状態の評価を完成する上記ステップにおいては、
上記端末は現在のカウンターのカウント値を保留し、更新されたタイミング時間よりタイマのタイミング時間を再設置し、
再設置されたタイマのタイミング時間がタイムアップするまでに上記端末に対して続けて再選択または切り替えの回数をカウントし、
上記再設置されたタイマのタイミング時間がタイムアップした後、上記タイマを停止し、更新された閾値を採用して得られた上記現在のカウンターのカウント値を評価し、評価結果よりその相応の運動状態を設置することを特徴とする請求項１に記載の方法。
【請求項３】
上記再設置されたタイマのタイミング時間は更新されたタイミング時間と上記タイマの現在の既に完成したタイミング時間との差分であり、
上記タイマの現在の既に完成したタイミング時間は更新前のタイミング時間と上記タイマの現在に残ったタイミング時間との差分であることを特徴とする請求項２に記載の方法。
【請求項４】
更新された評価パラメータを採用して続けて今回の運動状態の評価を完成する上記ステップが、さらに、更新されたタイミング時間が上記タイマの現在の既に完成したタイミング時間より以下である場合、上記タイマを停止することを含めることを特徴とする請求項３に記載の方法。
【請求項５】
受信された新たな評価パラメータを現在の採用された評価パラメータと比較して、両方が互いに異なる場合に評価制御モジュールを通知する比較モジュールと、
上記比較モジュールの通知より、上記評価実行モジュールに評価パラメータを更新し上記端末の運動状態を再設置することを通知する評価制御モジュールと、
上記評価制御モジュールの通知より評価パラメータを更新し、運動状態の評価を実行し、上記端末の運動状態を再設置する評価実行モジュールと、
を備え、請求項１に記載の方法を実現することを特徴とする端末。
【請求項６】
上記評価制御モジュールが通知されたタイミング時間よりタイミングするタイマと、
上記タイマのタイミング時間において上記端末に対して再選択または切り替えの回数をカウントするカウンターと、
上記タイマが停止したときに、上記評価制御モジュールが通知した閾値より上記カウンターのカウント値を評価する評価ユニットと、
上記評価ユニットの評価結果より上記端末の運動状態を再設置し、上記評価制御モジュールが運動状態を再設置する通知を受信した後、上記端末の運動状態を正常の運動状態に設置する運動状態設置ユニットと、
を備えることを特徴とする請求項５に記載の端末。
【請求項７】
上記評価制御モジュールは、上記比較モジュールの通知を受信した後、上記タイマの再設置タイミング時間を計算して、上記再設置タイミング時間を上記タイマに通知し、
上記再設置されるタイミング時間は更新されたタイミング時間と上記タイマの現在の既に完成したタイミング時間との差分であり、
上記タイマの現在の既に完成したタイミング時間は更新前のタイミング時間と上記タイマの現在に残ったタイミング時間との差分であることを特徴とする請求項６に記載の端末。
【請求項８】
上記評価制御モジュールは、更新されたタイミング時間が上記タイマの現在の既に完成したタイミング時間より大きいであるかを判断して、以下であると、上記タイマにタイミングを停止することを通知することを特徴とする請求項６に記載の端末。
【請求項９】
端末は、１回の運動状態の評価を完成した後、上記１回の運動状態の評価過程に上記１回の運動状態の評価が採用された評価パラメータと異なる新たな評価パラメータを受信すると、最も新しく受信された評価パラメータを採用して次回の運動状態の評価を実行することを特徴とする端末の運動状態の評価を制御する方法。
【請求項１０】
上記評価パラメータは、誘発時間と遅延時間を有する時間パラメータを含め、および、
上記１回の運動状態を完成する評価とは、タイマが上記誘発時間に対するタイミングがタイムアップし、またはタイマが上記遅延時間に対するタイミングがタイムアップしたことであることを特徴とする請求項９に記載の方法。
【請求項１１】
受信された新たな評価パラメータを現在に採用された評価パラメータと比較して、両方が互いに異なる場合に評価制御モジュールを通知する比較モジュールと、
上記評価実行モジュールが１回の運動状態の評価を完成した後、上記１回の運動状態の評価の過程において最も新しく受信した上記比較モジュールの通知より、上記評価実行モジュールに評価パラメータを更新することを通知する評価制御モジュールと、
上記評価制御モジュールの通知より評価パラメータを更新し、運動状態の評価を実行する評価実行モジュールと、
を備え、請求項９に記載の方法を実現することを特徴とする端末。
【請求項１２】
上記評価制御モジュールが通知されたタイミング時間よりタイミングするタイマと、
上記タイマのタイミング時間において上記端末に対して再選択または切り替えの回数をカウントするカウンターと、
上記タイマが停止したときに、上記評価制御モジュールが通知された閾値より上記カウンターのカウント値を評価する評価ユニットと、
上記評価ユニットの評価結果より上記端末の運動状態を再設置する運動状態設置ユニットと、
を備えることを特徴とする請求項１１に記載の端末。
【請求項１３】
端末は運動状態を評価する過程において、現在に採用された評価パラメータと異なる新たな評価パラメータを受信すると、上記運動状態の評価過程を停止し、履歴をクリアし、評価パラメータを更新し、その後、更新された評価パラメータを採用して運動状態を再評価することを特徴とする端末の運動状態の評価を制御する方法。
【請求項１４】
履歴をクリアする上記ステップにおいては、
運動状態を正常の運動状態に設置し、カウント値をリセットし、タイマをリセットすることを含めることを特徴とする請求項１３に記載の方法。
【請求項１５】
受信された新たな評価パラメータを現在に採用された評価パラメータと比較して、両方が互いに異なる場合に評価制御モジュールを通知する比較モジュールと、
上記比較モジュールの通知を受信した後、上記評価実行モジュールに履歴をクリアし、評価パラメータを更新することを通知する上記評価制御モジュールと、
上記評価制御モジュールの通知より評価パラメータを更新し、運動状態の評価を実行する上記評価実行モジュールと、
を備える請求項１３に記載の方法を実現することを特徴とする端末。
【請求項１６】
上記評価制御モジュールの通知よりリセットし、更新されたタイミング時間よりタイミングするタイマと、
上記評価制御モジュールの通知よりリセットし、上記タイマのタイミング時間において上記端末に対して再選択または切り替えの回数をカウントするカウンターと、
上記タイマが停止した時に、上記評価制御モジュールが通知した閾値より上記カウンターのカウント値を評価する評価ユニットと、
上記評価ユニットの評価結果より上記端末の運動状態を再設置し、上記評価制御モジュールが運動状態を再設置する通知を受信した後、上記端末の運動状態を正常の運動状態に設置する運動状態設置ユニットと、
を備えることを特徴とする請求項１５に記載の端末。
【発明の詳細な説明】
【技術分野】
【０００１】
本発明は移動通信領域に関し、特に、端末の運動状態の評価方法及び端末に関する。
【背景技術】
【０００２】
移動通信システムにおいて、端末スピードの速さはネットワークが提供したサービスの質に影響を与え、特に、セルの再選択または切り替え過程において、ハイスピードで運動する端末に対して正常の運動と同じの制御パラメータを採用すると、端末はターゲットセルに再選択しまたは切り替える間がないままでサービスセルのカバー範囲から離れた。よって、従来の移動通信システムにおいて、端末の運動状態、即ち運動スピードに依存する制御パラメータを採用して、セルを再選択しまたは切り替えた。
【０００３】
従来の移動通信システムにおいて、ＴとＮという２つの評価パラメータが定義された。Ｔは端末の運動状態の評価に使用されたタイマで、Ｎは予めに設定された閾値である。運動状態の評価過程において、端末はＴ時間においてセルが再選択操作または切り替える操作の回数を統計し、統計回数がＮ回を超えると、当該端末がハイスピードでの運動状態であると認められ、そうしないと、端末が正常の運動状態であると認められる。
【０００４】
しかし、端末は評価中に１つの異なる評価パラメータが設置されたセルに入ると、現在のプロトコルに基づいて、評価パラメータはセルシステムメッセージにおいて放送されるが、当該セルに入る時に必ず新たな放送情報を読み取り、端末に記憶されたパラメータを更新する。前のと異なるパラメータを得るので、端末が後の状態の評価においてどの組のパラメータを採用して評価するべきかを確定できないので、端末の実行を曖昧にさせることを引き起した。
【発明の概要】
【発明が解決しようとする課題】
【０００５】
本発明が解決しようとする課題は、端末は運動状態の評価を実行する過程において、評価パラメータが変わるから端末の実行を曖昧にさせる問題を解決するために、端末の運動状態の評価を制御する方法を提供することである。
【課題を解決するための手段】
【０００６】
本発明は、上記課題を解決するためになされたものであり、端末は運動状態を評価する過程において、現在に採用された評価パラメータと異なる新たな評価パラメータを受信すると、運動状態を正常の運動状態に設置し、評価パラメータを上記新たな評価パラメータに更新し、更新された評価パラメータを採用して続けて今回の運動状態の評価を完成する端末の運動状態の評価を制御する方法を提供することである。
【０００７】
さらに、上記方法が下記の特徴を備える。
【０００８】
上記評価パラメータはタイミング時間と閾値を含め、
及び、上記端末が更新された評価パラメータを採用して続けて今回の運動状態の評価を完成することとは、上記端末が現在のカウンターのカウント値を保留し、更新されたタイミング時間よりタイマのタイミング時間を再設置し、上記再設置されたタイマのタイミング時間がタイムアップするまでに上記端末に対して再選択または切り替えの回数を続けてカウントし、上記再設置されたタイマのタイミング時間がタイムアップした後、上記タイマを停止し、更新された閾値を採用して得られた上記現在のカウンターのカウント値を評価し、評価結果よりその相応の運動状態を設置する。
【０００９】
上記再設置されたタイマのタイミング時間は、上記更新されたタイミング時間と上記タイマの現在の既に完成したタイミング時間との差分であり、その中、上記タイマの現在の既に完成したタイミング時間は更新前のタイミング時間と上記タイマの現在に残ったタイミング時間との差分である。
【００１０】
さらに、上記方法が下記の特徴を備える。
【００１１】
上記更新されたタイミング時間が上記タイマの現在の既に完成したタイミング時間より以下である場合、上記タイマを停止する。
【００１２】
本発明は、上記方法を実現するように、さらに、比較モジュール、評価制御モジュールおよび評価実行モジュールを備える端末を提供して、この中に、
上記比較モジュールが受信された新たな評価パラメータを現在に採用された評価パラメータと比較して、評価制御モジュールが両方が互いに異なる場合に評価制御モジュールを通知するように設置されて、
上記評価制御モジュールが上記比較モジュールの通知より、上記評価実行モジュールに評価パラメータを更新し上記端末の運動状態を再設置することを通知するように設置されて、
上記評価実行モジュールが上記評価制御モジュールの通知より評価パラメータを更新し、運動状態の評価を実行し、上記端末の運動状態を再設置するように設置される。
【００１３】
さらに、上記端末が下記の特徴を備える。
【００１４】
上記評価実行モジュールは、タイマ、カウンター、評価ユニットおよび運動状態設置ユニットを備えて、この中に、
上記タイマが前上記評価制御モジュールに通知されたタイミング時間よりタイミングするように設置されて、
上記カウンターが上記タイマのタイミング時間において上記端末に対して再選択または切り替えの回数をカウントするように設置されて、
上記評価ユニットが上記タイマが停止したときに、上記評価制御モジュールに通知された閾値より上記カウンターのカウント値を評価するように設置されて、
上記運動状態設置ユニットが上記評価ユニットの評価結果より上記端末の運動状態を再設置し、上記評価制御モジュールが運動状態を再設置する通知を受信した後、上記端末の運動状態を正常の運動状態に設置するように設置される。
【００１５】
さらに、上記端末が下記の特徴を備える。
【００１６】
上記評価制御モジュールは、上記比較モジュールの通知を受信した後、さらに上記タイマを再設置するタイミング時間を計算して、上記再設置されるタイミング時間を上記タイマに通知するように設置されて、
上記再設置されるタイミング時間は、更新されたタイミング時間と上記タイマの現在の既に完成したタイミング時間との差分であって、この中に、上記タイマの現在の既に完成したタイミング時間は、更新前のタイミング時間と上記タイマの現在に残ったタイミング時間との差分である。
【００１７】
さらに、上記端末が下記の特徴を備える。
【００１８】
上記評価制御モジュールは、さらに更新されたタイミング時間が上記タイマの現在の既に完成したタイミング時間より大きいであるかを判断して、以下であると、上記タイマにタイミングを停止することを通知する用に設置される。
【００１９】
本発明は、上記課題を解決するためになされたものであり、さらに、端末の運動状態の評価を制御する方法を提供して、この中に、端末は、１回の運動状態の評価を完成した後、上記１回の運動状態の評価過程に上記１回の運動状態の評価が採用された評価パラメータと異なる新たな評価パラメータを受信すると、最も新しく受信した評価パラメータを採用して次回の運動状態の評価を実行する。
【００２０】
さらに、上記方法が下記の特徴を備える。
【００２１】
上記評価パラメータは、誘発時間と遅延時間を有する時間パラメータを含めて、
上記１回の運動状態を完成する評価とは、タイマが上記誘発時間に対するタイミングがタイムアップし、またはタイマが上記遅延時間に対するタイミングがタイムアップすることである。
【００２２】
本発明は、上記の方法を実現するように、さらに、比較モジュール、評価制御モジュール及び評価実行モジュールを備える端末を提供して、
上記比較モジュールが受信された新たな評価パラメータを現在に採用された評価パラメータと比較して、両方が互いに異なる場合に評価制御モジュールを通知するように設置されて、
上記評価制御モジュールが上記評価実行モジュールの１回の運動状態の評価を完成した後、上記１回の運動状態の評価の過程において最も新しく受信された上記比較モジュールの通知より、上記評価実行モジュールに評価パラメータを更新することを通知するように設置されて、
評価実行モジュールが上記評価制御モジュールの通知より評価パラメータを更新し、運動状態の評価を実行するように設置される。
【００２３】
さらに、上記端末が下記の特徴を備える。
【００２４】
上記評価制御モジュールが、タイマ、カウンター、評価ユニット及び運動状態設置ユニットを備えて、この中に、
上記タイマが通知したタイミング時間よりタイミングするように設置されて、
上記カウンターが上記タイマのタイミング時間において上記端末に対して再選択または切り替えの回数をカウントするように設置されて、
上記評価ユニットが上記タイマが停止したときに、上記評価制御モジュールが通知した閾値より上記カウンターのカウント値を評価するように設置されて、
運動状態設置ユニットが上記評価ユニットの評価結果より上記端末の運動状態を再設置するように設置される。
【００２５】
本発明は、上記課題を解決するためになされたものであり、さらに端末の運動状態の評価を制御する方法を提供して、この中に、端末は運動状態を評価する過程において、現在に採用された評価パラメータと異なる新たな評価パラメータを受信すると、上記運動状態の評価過程を停止し、履歴をクリアし、評価パラメータを更新し、そして、更新された評価パラメータを採用して改めて運動状態を再評価する。
【００２６】
履歴をクリアするとは、運動状態を正常の運動状態に設置し、カウント値をリセットし、タイマをリセットすることである。
【００２７】
本発明は、上記方法を実現するように、さらに、比較モジュール、評価制御モジュールおよび上記評価実行モジュールを備える端末を提供して、この中に、
比較モジュールが受信した新たな評価パラメータを現在の採用された評価パラメータと比較して、両方が互いに異なる場合に評価制御モジュールを通知して、
上記評価制御モジュールが上記比較モジュールの通知を受信した後、上記評価実行モジュールに履歴をクリアし、評価パラメータを更新することを通知して、
上記評価実行モジュールが上記評価制御モジュールの通知より評価パラメータを更新し、運動状態の評価を実行する。
【００２８】
さらに、上記端末が下記の特徴を備える。
【００２９】
上記評価実行モジュールが、タイマ、カウンター、評価する評価ユニット及び運動状態設置ユニットを備えて、この中に、
上記タイマが上記評価制御モジュールの通知よりリセットし、更新されたタイミング時間よりタイミングして、
上記カウンターが上記評価制御モジュールの通知よりリセットし、上記タイマのタイミング時間において上記端末に対して再選択または切り替えの回数をカウントして、
上記評価ユニットが上記タイマが停止する時に、上記評価制御モジュールが通知した閾値より上記カウンターのカウント値を評価して、
運動状態設置ユニットが上記評価ユニットの評価結果より上記端末の運動状態を再設置し、上記評価制御モジュールが運動状態を再設置する通知を受信した後、上記端末の運動状態を正常の運動状態に設置する。
【発明の効果】
【００３０】
本発明に記載される端末の運動状態の評価を制御する方法よれば、端末は、運動状態の評価を実行する過程において、評価パラメータが変わった時に、有効的に制御されて端末の実行を曖昧にさせる問題を回避することができる。
【図面の簡単な説明】
【００３１】
【図１】本発明に係る第１の実施の形態における端末の運動状態の評価を制御する方法のフローチャートである。
【図２】本発明に係る第１の実施の形態における端末の運動状態の評価を制御する端末構造を示す図である。
【図３】本発明に係る第２の実施の形態における端末の運動状態の評価を制御する方法のフローチャートである。
【図４】本発明に係る第３の実施の形態における端末の運動状態の評価を制御する方法のフローチャートである。
【発明を実施するための形態】
【００３２】
本発明が提出する端末の運動状態の評価を制御する方法の基本構想としては、端末は運動状態の評価を実行する過程において、異なる評価パラメータを受信した時に、端末は現在に設置された運動状態及び後の運動状態の評価方法に対して明確に規定して、有効的に端末の実行を曖昧にさせる問題を回避することができる。
【００３３】
現在、端末が運動状態を評価する評価パラメータは、一般的にセルのシステムメッセージに含まれ、ネットワーク側に放送された測定制御シナリングに含まれることもあるので、端末はセルのシステムメッセージを読み取るときに評価パラメータを得てもよいし、ネットワーク側に放送された測定制御シナリングを受信したときに評価パラメータを得てもよい。上記運動状態を評価する評価パラメータは誘発時間Ｔｍａｘ、遅延時間Ｔｈｙｓｔ、ハイスピード閾値Ｎｈ、及び中速閾値Ｎｍを含める。
【００３４】
しかし、ある場面で端末は現在の運動状態の評価が採用される評価パラメータと異なる新たな評価パラメータを採用する可能性があり、例えば、端末は運動状態を評価する過程において、アイドリングモードで再選択するときに、上記再選択された新たなセルは異なる評価パラメータを採用すると、上記端末は上記新たなセルのシステム情報を読み取るときに現在のと異なる評価パラメータを得る可能性がある。または、端末が接続モードでネットワーク側から送信した測定制御シナリングを受信して、切り替えたセルが異なる評価パラメータを採用すると、ネットワーク側が出した制御シナリングに含まれた評価パラメータは現在のと異なる可能性がある。または、ネットワーク側に端末がアイドリングモードから接続モードに入るサービスを開始させて制御するときに、接続モードで、システムがアイドリングモードと異なるパラメータを採用する可能性があるので、ネットワーク側に放送された制御シナリングにおける評価パラメータは現在のと異なる可能性がある。または、端末の終了サービスが接続モードからアイドリングモードに入るときに、アイドリングモードで、ネットワークが接続モードと異なるパラメータを採用する可能性があるので、端末はアイドリングモードで読み取ったセル情報に含めた評価パラメータは現在のと異なる可能性がある。この時、端末はその現在の運動状態及び後の運動状態の評価方法を明確化する必要があって、端末を明確に後の運動状態の評価を実行することができるようにさせる。
【００３５】
第１の実施の形態
端末が現在のと異なる新たな評価パラメータを受信したときに、異なるモードの切り替えが発生し、特にアイドリングモードから接続モードに切り替えたときに、異なるモードで、ネットワーク側がセルに対して配置したパラメータは一般的に大きい変化があるが、接続モードで、端末はサービスの質に対する要求がより高いので、後の運動状態の評価において、現在の評価パラメータの参考価値が小さい。上記の考慮に鑑み、好ましいのは、本発明に係る実施の形態は新たな評価パラメータを受信した後、即時で新たな評価パラメータを採用して続けて今回の運動状態の評価を完成することを推薦するが、これに限定されない。
【００３６】
図１を参照して、端末が現在のと異なる新たな評価パラメータを受信して、異なるモードの間の切り替えが発生した場合、上記端末は現在の運動状態を正常の運動状態に設置し、現在のカウンターのカウント値を保留し、評価パラメータを上記新たな評価パラメータに更新し、更新された評価パラメータを採用して続けて今回の運動状態の評価を完成する。
【００３７】
モードの切り替えが発生した後、ネットワーク側がセルに対して配置したパラメータが一般的により大きい変化があり、端末の現在の設置された運動状態は切り替えたモードに適応しない可能性があることを鑑み、端末は運動状態を正常の運動状態に設置する。
【００３８】
上記新たな評価パラメータを受信したときに、今回の運動状態の評価がまだ完成しなく、現在の既に完成した評価部分を今回の運動状態の評価の一部として依然に一定の参考性があることを鑑み、既に完成した評価部分を保持し、即ち、現在のカウンターのカウント値を保持する。評価パラメータを上記新たな評価パラメータに更新し、タイマのタイミング時間を上記新たなタイミング時間と上記タイマの現在の既に完成したタイミング時間との差分に再設置し、上記タイマの現在の既に完成したタイミング時間は更新前のタイミング時間と上記タイマの現在に残ったタイミング時間との差分に再設置する。その後、上記再設置されたタイミング時間がタイムアップする前に上記端末に対して続けて再選択または切り替えの回数をカウントし、上記再設置されたタイミング時間がタイムアップした後、上記タイマを停止し、更新された閾値を採用して得られたカウント値を評価し、評価結果より相応の運動状態を設置する。上記新たな評価パラメータを受信したときに、タイマは誘発時間をタイミングしている可能があり、遅延時間をタイミングしている可能性もあるので、以下のような２つの状況に分けて考慮すべきである。
【００３９】
端末が上記新たな評価パラメータ（誘発時間Ｔｍａｘ２、遅延時間Ｔｈｙｓｔ２、ハイスピード閾値Ｎｈ２、及び中速閾値Ｎｍ２）を受信したときに、タイマは誘発時間Ｔｍａｘ１をタイミングしていて、タイマの現在に残ったタイミング時間がｘ、現在のカウンターのカウント値がｙであることを仮定すると、タイマの再設置されたタイミング時間は上記更新されたタイミング時間Ｔｍａｘ２と上記タイマの現在の既に完成したタイミング時間との差分であるが、上記タイマの現在の既に完成したタイミング時間は更新前のタイミング時間Ｔｍａｘ１と上記タイマの現在に残ったタイミング時間ｘとの差分であり、評価パラメータを更新し、更新された評価パラメータより今回の運動状態の評価の後の評価を行う。好ましいのは、タイマのタイミング時間を再設定する前に、更新された誘発時間Ｔｍａｘ２がタイマの現在の既に完成したタイミング時間より大きいかを判断して、判断結果が「以下」であると、タイマを停止し、更新されたハイスピード閾値Ｎｈ２、及び中速閾値Ｎｍ２を採用して現在のカウンターのカウント値ｙを評価する。具体的に、上記カウンターのカウント値ｙが中速閾値Ｎｍ２より以上であると共にハイスピード閾値Ｎｈ２より小さいであると、端末の運動状態が中速であると判断する。上記カウンターのカウント値ｙがハイスピード閾値Ｎｈ２より以上であると、端末の運動状態がハイスピードであると判断する。上記カウンターのカウント値ｙが中速閾値Ｎｍ２より小さいであると、端末の運動状態が正常であると判断して、評価結果より端末の運動状態を再設置する。判断結果が「より大きい」であると、上記再設置されたタイミング時間がタイムアップする前に上記端末に対して再選択または切り替えの回数をカウントし、上記再設置されたタイミング時間がタイムアップしたときに、タイマを停止して、更新されたハイスピード閾値Ｎｈ２、及び中速閾値Ｎｍ２を採用してカウンターのカウント値を評価し、評価結果より相応の運動状態を設置してもよい。
【００４０】
端末が上記新たな評価パラメータ（誘発時間Ｔｍａｘ２、遅延時間Ｔｈｙｓｔ２、ハイスピード閾値Ｎｈ２、及び中速閾値Ｎｍ２）を受信したときに、タイマは遅延時間Ｔｈｙｓｔ１をタイミングしていて、タイマの現在に残ったタイミング時間がｘ、現在のカウンターのカウント値がｙであることを仮定して、上記の方法に基づいて、タイマのタイミング時間を再設置し、即ち、タイマのタイミング時間が上記更新された遅延時間Ｔｈｙｓｔ２と上記タイマの現在の既に完成したタイミング時間との差分に再設置するが、上記タイマの現在の既に完成したタイミング時間が更新前の遅延時間Ｔｈｙｓｔ１と上記タイマの現在に残ったタイミング時間ｘとの差分に再設置し、評価パラメータを更新し、更新された評価パラメータより今回の運動状態の評価の後の評価を行う。上記再設置されたタイミング時間がタイムアップした後、タイマを停止し、更新されたハイスピード閾値Ｎｈ２及び中速閾値Ｎｍ２を採用してカウンターのカウント値を評価し、評価結果より相応の運動状態を設置する。好ましいのは、タイミング時間を再設置する前に、更新された遅延時間Ｔｈｙｓｔ２がタイマの現在の既に完成した遅延時間より大きいかを判断して。判断結果が「以下」であると、タイマを停止する。そうしないと、上記の方法に基づいて、タイマのタイミング時間を再設置し、上記再設置されたタイミング時間において続けて評価してもよい。
【００４１】
図２を参照して、上記の方法を実現するために、本発明は、端末を提供することであって、上記端末は比較モジュール、評価制御モジュール及び評価実行モジュールを備える。
【００４２】
上記比較モジュールは受信した新たな評価パラメータと現在に採用された評価パラメータと比較して、両方が互いに異なる場合に、上記評価制御モジュールに通知する。
【００４３】
上記評価制御モジュールは、さらに、上記比較モジュールの通知を受信した後、上記通知より上記タイマが再設置したタイミング時間を計算して、タイマへ上記再設置のタイミング時間を通知して、上記評価実行モジュールへ評価パラメータを更新し及び運動状態を再設置することを通知する。その中、上記再設置されたタイミング時間は上記更新されたタイミング時間と上記タイマの現在の既に完成したタイミング時間との差分であり、その中、上記タイマの現在の既に完成したタイミング時間は更新前のタイミング時間と上記タイマの現在に残ったタイミング時間との差分である。好ましいのは、さらに、上記評価制御モジュールは上記更新されたタイミング時間が上記タイマの現在の既に完成したタイミング時間より大きいかを判断して、以下であると、上記タイマにタイミングを停止することを通知する。
【００４４】
上記評価実行モジュールは、上記評価制御モジュールの通知より運動状態の評価を実行し、運動状態を再設置する。更に、上記評価実行モジュールは、評価ユニット、タイマ、カウンター及び運動状態設置ユニットを含めて、この中に、
上記タイマは上記評価制御ユニットが通知したタイミング時間よりタイミングし、上記カウンターは上記タイマのタイミング時間において、上記端末に対して再選択または切り替えの回数をカウントし、上記評価ユニットは上記タイマが停止する時に、通知された閾値よりカウンターのカウント値を評価して、上記運動状態設置ユニットは、評価ユニットの評価結果より運動状態を再設置し、および、運動状態を再設置する通知を受信した後に運動状態を正常の運動状態に設置する。
【００４５】
本発明に係る実施の形態における上記方法は端末が現在のと異なる新たな評価パラメータを受信したときにモード切り替えが発生した情景に適応され、端末がモード切り替えは発生したときに状態の評価に対する正確性に対してより高い要求を満足する。
【００４６】
第２の実施の形態
端末が現在のと異なる新たな評価パラメータを受信したときに、異なるモードの間の切り替えが発生しないと、異なるモードで、ネットワーク側がセルに配置されたパラメータが一般的に大きい変化がないので、後の運動状態の評価において、現在に設置された運動状態及び現在の評価パラメータは一定の参考価値がある。上記の内容に鑑み、好ましいのは、本発明に係る実施の形態は、新たな評価パラメータを受信した後、即時で評価パラメータを更新することではなく、続けて現在の評価パラメータを採用して今回の運動状態の評価を完成する。
【００４７】
図３を参照して、端末が現在のと異なる新たな評価パラメータを受信したときに、異なるモードの間の切り替えが発生しないと、上記端末は現在に設置された運動状態を保持し、現在のカウンターのカウント値及びタイマの残ったタイミング時間を保持し、評価パラメータを更新しなく、現在の評価パラメータを採用して続けて今回の運動状態の評価を完成する。
【００４８】
同じモードで、ネットワーク側がセルに配置したパラメータが一般的により大きい変化がなく、端末が現在の運動状態が依然に一定の参考価値があることを鑑み、端末は続けて現在に設置した運動状態を保持することができる。
【００４９】
端末が現在の運動状態を評価する評価パラメータが、それぞれ誘発時間Ｔｍａｘ１、遅延時間Ｔｈｙｓｔ１、ハイスピード閾値Ｎｈ１、及び中速閾値Ｎｍ１であることを仮定する。１回の完全な運動状態の評価過程において、端末は運動状態の評価が誘発された後、タイマをスタートさせ、タイミング時間がＴｍａｘ１である。上記誘発時間がタイムアップする前に、１つのカウンターを採用して、端末に対して再選択または切り替えの回数をカウントする。上記誘発時間がタイムアップしたときに、タイマを停止し、ハイスピード閾値Ｎｈ１及び中速閾値Ｎｍ１を採用してカウンターのカウント値を評価する。具体的に、上記カウンターのカウント値が中速閾値Ｎｍ１より以上であると共に、ハイスピード閾値Ｎｈ１より小さいであると、端末の運動状態が中速であると判断し、上記カウンターのカウント値がハイスピード閾値Ｎｈ１より以上であると、端末の運動状態がハイスピードであると判断し、上記カウンターのカウント値が中速閾値Ｎｍ１より小さいと、端末の運動状態が正常であると判断する。なお、上記端末が現在に保持した運動状態は正常の状態であると、上記の評価結果より相応の運動状態を設置し、そうしないと、評価結果が中速またはハイスピードであるときに、評価結果より相応の運動状態を設置する。但し、結果が正常であると判断するときに、上記端末は再びタイマをスタートさせ、タイミング時間がＴｈｙｓｔ１である。上記遅延時間Ｔｈｙｓｔ１において端末に対して続けて再選択または切り替えの回数をカウントし、遅延時間Ｔｈｙｓｔ１がタイムアップした後、Ｔｍａｘ１とＴｈｙｓｔ１において得られた総カウント値を評価して、評価結果より相応の運動状態を設置する。
【００５０】
今回の運動状態の評価過程において、端末が現在のと異なる新たな評価パラメータを受信すれば、今回の評価過程に影響を与えない。
【００５１】
今回の運動状態の評価を完成した後、評価パラメータを今回の運動状態の評価が完成する前の最も新しく受信した評価パラメータに更新し、更新された評価パラメータを採用して次回の運動状態の評価を実行する。
【００５２】
図２を参照して、上記の方法を実現するために、本発明は、端末を提供して、上記端末が比較モジュール、評価制御モジュール、及び評価実行モジュールを備えて、この中に、
上記比較モジュールは受信した新たな評価パラメータと現在に採用された評価パラメータと比較して、両方が互いに異なるときに、上記評価制御モジュールを通知する。
【００５３】
上記評価制御モジュールは、上記評価実行モジュールが１回の評価を完成した後、当該評価過程において最も新しく受信された上記比較モジュールの通知より、上記評価実行モジュールに評価パラメータを更新することを通知する。
【００５４】
上記評価実行モジュールは上記評価制御モジュールの通知より運動状態の評価を実行する。更に、上記評価実行モジュールは、評価ユニット、タイマ、カウンター及び運動状態設置ユニットを備えて、この中に、
上記タイマは上記評価制御ユニットが通知したタイミング時間よりタイミングし、上記カウンターは上記タイマのタイミング時間において上記端末に対して再選択または切り替えの回数をカウントし、上記評価ユニットは上記タイマが停止する時に、上記評価制御ユニットが通知された閾値によりカウンターのカウント値を評価し、上記運動状態設置ユニットは評価ユニットの評価結果より運動状態を再設置する。
【００５５】
本発明に係る実施の形態における上記方法は端末が現在のと異なる的新たな評価パラメータを受信したときにモード切り替えが発生しない情景に適応し、端末が同じモードで、ネットワーク側がセルに配置したパラメータが変化が大きくないから、状態を評価するときに端末の運動状態の参考性がより大きい状況を充分に考慮した。
【００５６】
第３の実施の形態
本発明に係る実施の形態は以下のような通用性を有する簡単に且つ便利に実現される処理方法を提出する。
【００５７】
図４を参照して、端末は運動状態を評価する過程において、現在の採用された評価パラメータと異なる新たな評価パラメータを受信すると、端末の現在の運動状態の参考性を考慮しないままで、上記端末の履歴を削除し、即ち、運動状態が正常の運動状態に設置し、カウント値、タイマをリセットし、今回の運動状態の評価を終了させて、評価パラメータを上記受信された新たな評価パラメータに更新し、更新された評価パラメータを採用して運動状態を再評価する。その中、第２の実施の形態に述べるように、新たな評価パラメータを採用して運動状態を新たに評価する方法は、ここで重複しない。
【００５８】
図２を参照して、上記の方法を実現するために、本発明は、端末を提供し、比較モジュール、評価制御モジュール、及び評価実行モジュールを備えて、この中に、
上記比較モジュールは受信された新たな評価パラメータと現在に採用された評価パラメータと比較して、両方が互いに異なる場合に、上記評価制御モジュールを通知して、
上記評価制御モジュールは、上記比較モジュールの通知を受信した後、上記評価実行モジュールに履歴をクリアし、評価パラメータを更新することを通知して、
上記評価実行モジュールは上記評価制御モジュールの通知より運動状態の評価を実行する。更に、上記評価実行モジュールは、評価ユニット、タイマ、カウンター及び運動状態設置ユニットを備えて、この中に、
上記タイマは上記評価制御ユニットの通知よりリセットし、更新されたタイミング時間よりタイミングし、上記カウンターは、上記評価制御ユニットの通知よりリセットし、上記タイマのタイミング時間において上記端末に対して再選択または切り替えの回数をカウントし、上記評価ユニットは上記タイマが停止した時に、上記評価制御ユニットが通知された閾値よりカウンターのカウント値を評価し、上記運動状態設置ユニットは評価ユニットの評価結果より運動状態を再設置し、上記評価制御ユニット再設置運動状態の通知を受信した後に運動状態を正常の運動状態に設置する。
【００５９】
もちろん、本発明は他の様々な実施の形態に適応することができる。本発明の精神および実質から逸脱しない状況で、当業者にとっては、本発明によれば様々な相応の修正及び変更態様として実施することができる。但し、これらの相応の修正及び変更は本発明における特許請求の保護範囲に属すべきである。
【産業上の利用可能性】
【００６０】
本発明が提出した端末の運動状態の評価を制御する方法の特徴としては、端末は運動状態の評価を実行する過程において、異なる評価パラメータを受信したときに、端末は現在に設置された運動状態及び後の運動状態の評価方法を明確に規定して、有効的に端末の実行に曖昧にさせる問題を回避することができる。
【図１】
2011530905.tif 000003
【図２】
2011530905.tif 000004
【図３】
2011530905.tif 000005
【図４】
2011530905.tif 000006
【国際調査報告】
2011530905.tif 000007
2011530905.tif 000008
2011530905.tif 000009
2011530905.tif 000010